【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】  画像形成を行うための構成要素の一部を有するカートリッジを用いて画像を形成する画像形成装置であって、
画像形成に関連する情報を第１のデータサイズのデータとして記憶する第１の記憶領域と、第２のデータサイズのデータとして記憶する第２の記憶領域とを有するメモリであって、前記第２のデータサイズはビット単位のデータであり、前記第１のデータサイズよりも小さいデータサイズである、前記メモリと、
前記メモリに対する前記画像形成に関連する情報の書き込み或いは読み出しを制御する制御手段とを有し、
前記制御手段は、前記第１のデータサイズのデータに対応する情報を前記第２の記憶領域に前記第２のデータサイズのデータとして記憶するように制御することを特徴とする画像形成装置。
【請求項２】  前記第２のデータサイズのデータとは、前記第１のデータサイズのデータの書き込み状態を示す情報であることを特徴とする請求項１に記載の画像形成装置。
【請求項３】  前記画像形成を行うための構成要素とは、像担待体、前記像担待体を帯電する帯電部材、前記像担持体に現像剤を供給する現像部材であって、前記カートリッジには、更に前記メモリが設けられ、前記カートリッジは当該画像形成装置本体に着脱可能に装着されることを特徴とする請求項１又は請求項２に記載の画像形成装置。
【請求項４】  前記制御手段は、前記第１の記憶領域に前記第１のデータサイズのデータとして記憶した画像形成に関連する情報に基づいて前記第１の記憶領域を書き換え禁止の状態に制御することを特徴とする請求項１乃至請求項３のいずれか一項に記載の画像形成装置。
【請求項５】  前記制御手段は、前記第２の記憶領域に前記第２のデータサイズのデータとして記憶した画像形成に関連する情報が全て書き換えられた場合に、前記第２の記憶領域を書き換え禁止の状態に制御することを特徴とする請求項２に記載の画像形成装置。
【請求項６】  前記メモリは、前記第１及び第２の記憶領域にそれぞれ記憶したデータのエラーを検出するためのチェックデータを記憶するチェックデータ記憶領域を更に有し、
前記制御手段は、前記第１及び第２の記憶領域からデータを読み出して演算し、該演算結果と前記チェックデー夕記憶領域に記憶したチェックデータとを比較してエラーを検出することを特徴とする請求項１乃至請求項５のいずれか一項に記載の画像形成装置。
【請求項７】  前記画像形成に関連するデータは、前記現像剤の量に係わるデータであることを特徴とする請求項３に記載の画像形成装置。
【請求項８】  画像形成装置本体に着脱可能に装着されたカートリッジ内部に設けられ、第１のデータサイズのデータを記憶する第１の記憶領域と第２のデータサイズのデータを記憶する第２の記憶領域とを有するメモリのメモリ制御方法であって、
前記第２のデータサイズはビット単位のデータであり、前記第１のデータサイズよりも小さいデータサイズであって、
前記第１の記憶領域が書き込み禁止の状態であるか否かを判定する第１の判定工程と、
前記第１の記憶領域が書き込み禁止の状態でない場合、前記第１の記憶領域に記憶したデータがデフォルト値であるか否かを判定する第２の判定工程と、
前記第１の記憶領域に記憶したデータがデフォルト値でない場合、前記第１の記憶領域を書き込み禁止の状態に制御する制御工程とを有することを特徴とするメモリ制御方法。
【請求項９】  前記制御工程では、前記第１の記憶領域に記憶したデータがデフォルト値である場合、前記第２の記憶領域に記憶したデータがデフォルト値であるか否かを判定し、前記第２の記憶領域に記憶したデータがデフォルト値である場合、前記第１の記憶領域のデータを書き換えるように制御することを特徴とする請求項８に記載のメモリ制御方法。
【請求項１０】  前記制御工程では、前記第１の記憶領域に記憶したデータがデフォルト値である場合、前記第２の記憶領域に記憶したデータがデフォルト値であるか否かを判定し、前記第２の記憶領域に記憶したデータがデフォルト値でない場合、前記第１の記憶領域のデータを書き換え、更に、第１の記憶領域を書き込み禁止の状態に制御することを特徴とする請求項８又は請求項９に記載のメモリ制御方法。
【請求項１１】  画像形成を行うための構成要素の一部を有し、画像形成装置本体に着脱可能なカートリッジであって、
画像形成に関連する情報を第１のデータサイズのデータとして記憶する第１の記憶領域と、
前記第１のデータサイズのデータに対応する情報を第２のデータサイズのデータとして記憶する第２の記憶領域とを持つメモリを有し、
前記第２のデータサイズはビット単位のデータであり、前記第１のデータサイズよりも小さいデータサイズであることを特徴とするカートリッジ。
【請求項１２】  前記第１のデータサイズのデータとは、前記カートリッジに関連する情報であり、前記第２のデータサイズのデータとは、前記第１のデータサイズのデータの書き込み状態を示すデータであることを特徴とする請求項１１に記載のカートリッジ。
【請求項１３】  前記第１の記憶領域に記憶する前記第１のデータサイズのデータを更新するために、前記第２の記憶領域に記憶する前記第２のデータサイズのデータを用いることを特徴とする請求項１１又は請求項１２に記載のカートリッジ。
【請求項１４】  前記第１の記憶領域又は第２の記憶領域は書き込み禁止の状態に設定可能であることを特徴とする請求項１１乃至請求項１３のいずれか一項に記載のカートリッジ。
【請求項１５】  前記画像形成を行うための構成要素とは、像担待体、前記像担待体を帯電する帯電部材、前記像担持体に現像剤を供給する現像部材であって、前記画像形成に関連するデータは、前記現像剤の量に係わるデータであることを特徴とする請求項１１乃至請求項１４のいずれか一項に記載のカートリッジ。
【請求項１６】  画像形成を行うための構成要素の一部を有し、画像形成装置に着脱可能なカートリッジに搭載されるメモリであって、
画像形成に関連する情報を第１のデータサイズのデータとして記憶する第１の記憶領域と、前記第１のデータサイズのデータに対応する情報を第２のデータサイズのデータとして記憶する第２の記憶領域とを有し、
前記第２のデータサイズはビット単位のデータであり、前記第１のデータサイズよりも小さいデータサイズであることを特徴とするカートリッジに搭載されるメモリ。
【請求項１７】  前記第１のデータサイズのデータとは、前記カートリッジに関連する情報であり、前記第２のデータサイズのデータとは、前記第１のデータサイズのデータの書き込み状態を示すデータであることを特徴とする請求項１６に記載のカートリッジに搭載されるメモリ。
【請求項１８】  前記第１の記憶領域に記憶する第１のデータサイズのデータを更新するために、前記第２の記憶領域に記憶する第２のデータサイズのデータを用いることを特徴とする請求項１６又は請求項１７に記載のカートリッジに搭載されるメモリ。
【請求項１９】  前記第１の記憶領域又は第２の記憶領域は書き込み禁止の状態に設定可能であることを特徴とする請求項１６乃至請求項１８のいずれか一項に記載のカートリッジに搭載されるメモリ。
【請求項２０】  前記画像形成を行うための構成要素とは、像担待体、前記像担待体を帯電する帯電部材、前記像担持体に現像剤を供給する現像部材であって、前記画像形成に関連するデータは、前記現像剤の量に係わるデータであることを特徴とする請求項１６乃至請求項１９のいずれか一項に記載のカートリッジに搭載されるメモリ。
【手続補正２】
【補正対象書類名】明細書
【補正対象項目名】００１３
【補正方法】変更
【補正の内容】
【００１３】
【課題を解決するための手段】
上記目的を達成するために、本発明の一態様によれば、画像形成を行うための構成要素の一部を有するカートリッジを用いて画像を形成する画像形成装置であって、画像形成に関連する情報を第１のデータサイズのデータとして記憶する第１の記憶領域と、第２のデータサイズのデータとして記憶する第２の記憶領域とを有するメモリであって、前記第２のデータサイズはビット単位のデータであり、前記第１のデータサイズよりも小さいデータサイズである、前記メモリと、前記メモリに対する前記画像形成に関連する情報の書き込み或いは読み出しを制御する制御手段とを有し、前記制御手段は、前記第１のデータサイズのデータに対応する情報を前記第２の記憶領域に前記第２のデータサイズのデータとして記憶するように制御する、画像形成装置が提供される。
【手続補正３】
【補正対象書類名】明細書
【補正対象項目名】００１４
【補正方法】変更
【補正の内容】
【００１４】
また、本発明の一態様によれば、画像形成装置本体に着脱可能に装着されたカートリッジ内部に設けられ、第１のデータサイズのデータを記憶する第１の記憶領域と第２のデータサイズのデータを記憶する第２の記憶領域とを有するメモリのメモリ制御方法であって、前記第２のデータサイズはビット単位のデータであり、前記第１のデータサイズよりも小さいデータサイズであって、前記第１の記憶領域が書き込み禁止の状態であるか否かを判定する第１の判定工程と、前記第１の記憶領域が書き込み禁止の状態でない場合、前記第１の記憶領域に記憶したデータがデフォルト値であるか否かを判定する第２の判定工程と、前記第１の記憶領域に記憶したデータがデフォルト値でない場合、前記第１の記憶領域を書き込み禁止の状態に制御する制御工程とを有するメモリ制御方法が提供される。
【手続補正４】
【補正対象書類名】明細書
【補正対象項目名】００１５
【補正方法】変更
【補正の内容】
【００１５】
また、本発明の一態様によれば、画像形成を行うための構成要素の一部を有し、画像形成装置本体に着脱可能なカートリッジであって、画像形成に関連する情報を第１のデータサイズのデータとして記憶する第１の記憶領域と、前記第１のデータサイズのデータに対応する情報を第２のデータサイズのデータとして記憶する第２の記憶領域とを持つメモリを有し、前記第２のデータサイズはビット単位のデータであり、前記第１のデータサイズよりも小さいデータサイズである、カートリッジが提供される。
【手続補正５】
【補正対象書類名】明細書
【補正対象項目名】００１６
【補正方法】変更
【補正の内容】
【００１６】
また、本発明の一態様によれば、画像形成を行うための構成要素の一部を有し、画像形成装置に着脱可能なカートリッジに搭載されるメモリであって、画像形成に関連する情報を第１のデータサイズのデータとして記憶する第１の記憶領域と、前記第１のデータサイズのデータに対応する情報を第２のデータサイズのデータとして記憶する第２の記憶領域とを有し、前記第２のデータサイズはビット単位のデータであり、前記第１のデータサイズよりも小さいデータサイズである、メモリが提供される。